【手続補正書】
【提出日】平成17年10月27日(2005.10.27)
【手続補正１】
【補正対象書類名】明細書
【補正対象項目名】全文
【補正方法】変更
【補正の内容】
【書類名】明細書
【発明の名称】中高部を横断するエンボスを有する生理用ナプキン
【特許請求の範囲】
【請求項１】使用面側から体液を受け入れて内部の吸収体に保持する吸収要素と、この裏面側にあって前記吸収要素から裏面側への体液の漏れを防止する漏れ防止シートとを備え、
前記吸収体は、ほぼ長手方向全長にわたって、かつ幅方向中央部に使用面側に高い中高部を有し、
前記吸収体の前記中高部の両側に、前記吸収体の長手方向両端縁近傍まで延在する側部エンボスが形成され、これらのエンボスが前後の少なくとも前側において前記中高部を横断する横断エンボスにより繋がっている、
ことを特徴とする生理用ナプキン。
【請求項２】前側における各側部エンボスに連なる前部横断エンボスが外方に膨らんでいる請求項１記載の生理用ナプキン。
【請求項３】さらに、少なくとも製品の長手方向中間において、製品の両側部にあって、体液の透過を実質的に許さないギャザーカフスシートに対して弾性伸縮部材を有し、製品の装着時その弾性伸縮部材の収縮力により使用者の肌側に起立するギャザーカフスと、前記各側部エンボスの前側部分の外側に離間して外方に曲率中心を有する実質的に円弧状のフィットエンボスとを有する請求項１または２記載の生理用ナプキン。
【発明の詳細な説明】
【０００１】
【発明の属する技術分野】
本発明は、中高部を横断するエンボスを有する生理用ナプキンに関する。
【０００２】
【従来の技術】
生理用ナプキンにおいて、体液の横及び前後漏れ防止を図りながら良好なフィット性を確保することはきわめて重要である。このために、特開平１１−３３０５４号公報などに開示されているように、フィット性および吸収性を高めるために中高部を長手方向中央部のみに形成すること、吸収体のよれの防止や吸収要素領域内における体液の前後あるいは横漏れを防止するためにエンボス（圧搾条溝）を形成することが知られている。
【０００３】
【発明が解決しようとする課題】
中高部を形成することは、股間部に対するフィット性および吸収性を高めるためにきわめて有効である。
【０００４】
しかるに、前記先行技術では、中高部を長手方向中央部のみに形成するものであるために、特に長時間使用し、かつ吸収容量も大きいことが要求される夜用には適さない。
【０００５】
したがって、本発明の課題は、特に夜用として適し、股間部に対するフィット性および吸収性を著しく改善した生理用ナプキンを提供することにある。
【０００６】
【課題を解決するための手段】
上記課題を解決した本発明は次記のとおりである。
【０００７】
＜請求項１記載の発明＞
使用面側から体液を受け入れて内部の吸収体に保持する吸収要素と、この裏面側にあって前記吸収要素から裏面側への体液の漏れを防止する漏れ防止シートとを備え、
前記吸収体は、ほぼ長手方向全長にわたって、かつ幅方向中央部に使用面側に高い中高部を有し、
前記吸収体の前記中高部の両側に、前記吸収体の長手方向両端縁近傍まで延在する側部エンボスが形成され、これらのエンボスが前後の少なくとも前側において前記中高部を横断する横断エンボスにより繋がっている、
ことを特徴とする生理用ナプキン。
【０００８】
（作用効果）
Ａ．吸収体は、ほぼ長手方向全長にわたって、かつ幅方向中央部に使用面側に高い中高部を有する。
したがって、中高部が股間部に食い込みフィット性が良好となり、排血口に密着するようになるので、スポット吸収性にも優れる。しかも、中高部は吸収体のほぼ長手方向全長にわたっているので、製品長さあたりの吸収容量が大きいものとなる。
Ｂ．吸収体の前記中高部の両側に、前記吸収体の長手方向両端縁近傍まで延在する側部エンボスが形成され、これらのエンボスが前後において前記中高部を横断する横断エンボスにより繋がっている。
吸収体に吸収された体液は、連続するエンボスの存在により、前後の少なくとも吸収した体液が多く溜まり前部漏れが生じ易い前部及び左右から漏れることを防止できる。側部エンボスは、中高部の潰れを防止し、中高部のよれを防止する。したがって、常に中高部が維持されるから、肌との間に隙間を生じることによる漏れの原因を解消できる。
前述のように、製品長さあたりの吸収容量を大きくするために、中高部は吸収体のほぼ長手方向全長にわたっているのが望ましいばかりでなく、違和感がないし、股間部からの横ずれを防ぐためにも望ましいことが知見された。
この反面、中高部の前後においてよれが発生することに対して、中高部を横断する横断エンボスにより、そのよれを防止できる。しかも、たとえ中高部に対して横断エンボスを形成しても、その横断エンボスにより前後漏れを防止できることも知見された。
【０００９】
＜請求項２記載の発明＞
前側における各側部エンボスに連なる前部横断エンボスが外方に膨らんでいる請求項１記載の生理用ナプキン。
【００１０】
（作用効果）
Ｃ．体液は、前側に溜まり易いが、前部横断エンボスが、これに連なる各側部エンボスより外方に外方に膨らんでいるので、中高部のみの吸収保持でなく、その膨らみ部分においても吸収でき吸収容量が大きいものとなる。
【００１１】
＜請求項３記載の発明＞
さらに、少なくとも製品の長手方向中間において、製品の両側部にあって、体液の透過を実質的に許さないギャザーカフスシートに対して弾性伸縮部材を有し、製品の装着時その弾性伸縮部材の収縮力により使用者の肌側に起立するギャザーカフスと、前記各側部エンボスの前側部分の外側に離間して外方に曲率中心を有する実質的に円弧状のフィットエンボスとを有する請求項１または２記載の生理用ナプキン。
【００１２】
（作用効果）
Ｄ．装着時、ギャザーカフスの収縮力により、吸収要素が排血口より前側の側部エンボス及びフィットエンボスを境にして、使用面側に起立するように変形し、排血口より前側部分の両側部における吸収要素の肌との密着性が改善され、かつ、ギャザーカフスの起立性も改善され横漏れを確実に防止できる。
【００１３】
【発明の実施の形態】
以下本発明の実施の形態を図面を参照しながらさらに詳説する。
【００１４】
＜第１の実施の形態：図１〜図７＞
図１において上側が製品の前側である。また、以下「内側」「内方」及び「外側」「外方」とは製品の幅方向に関して言う。
【００１５】
本発明の生理用ナプキンは、使用面側から体液を受け入れて内部に保持する吸収要素１０と、この裏面側にあって吸収要素１０から裏面側への体液の漏れを防止するポリエチレンシートなどからなる漏れ防止シート３０とを備える。
【００１６】
好適には、少なくとも製品の長手方向中間において、製品の両側部にあって、体液の透過を実質的に許さないギャザーカフスシート２１に対して、たとえば糸ゴムなどからなる弾性伸縮部材２２Ａ，２２Ｂを有し、製品の装着時その弾性伸縮部材２２Ａ，２２Ｂの収縮力により使用者の肌側に起立するギャザーカフス２０を備えるのが望ましい。
【００１７】
吸収要素１０は、使用面側に位置し体液を透過させる、不織布や好適には外面から内面方向には体液を通すが逆戻りを防止する小孔を有するポリエチレンシートを用いた表面シート１１と、透過した体液を受け入れて内部に保持する綿状粉砕パルプおよび必要によりさらにその上下面もしくは全面を包む吸収紙（図示せず）を有する、中高部１２Ａが形成された吸収体１２とを有している。もちろん、高分子吸収ポリマーを含有させることができる。実施の形態では、表面シート１１は、吸収体１２の使用面を覆っている。
【００１８】
中高部１２Ａは、製品の長手方向中央の排血口部位（概念的にその部位を符号Ｚで示す（図７参照））を跨いで長手方向に沿い、かつ幅方向中央部に使用面側に高い部位である。
【００１９】
前記各ギャザーカフス２０は、吸収要素１０の半剛性を有する吸収体１２がある位置に設けられ（形成され）ている。
【００２０】
漏れ防止シート３０は、吸収要素１０の側縁より外方に延在してフラップの構成部材としてある。
【００２１】
ギャザーカフスシート２１は、好適には疎水性または撥水性などの不織布材料からなり、必要ならば体液不透過性プラスチックシートなども用いることであり、その基部２１Ａの長手方向全体が、表面シート１１の表面にホットメルト接着剤などにより固定されている。このギャザーカフスシート２１は、吸収要素１０の側縁より外方に延在しており、その延在部２１Ｂが、漏れ防止シート３０上に重ね合わされ、ホットメルト接着剤などにより相互が一体化され、フラップ４０を構成している。フラップ４０は、前側フラップ４０Ａ、ショーツの股間部に巻き込むためのウイング部４０Ｂ、及びほぼ長手方向中間から後部に向かって大きく翼を広げる後側フラップ４０Ｃに区分して構成してある。
【００２２】
ギャザーカフスシート２１は、基部２１Ａの内方縁の第１折り返し線Ｌ１において折り返され、幅方向外方に向かう第１折り返し部２１Ｃが形成され、この第１折り返し部２１Ｃ終端の第２折り返し線Ｌ２において折り返され、幅方向内方に向かう第２折り返し部２１Ｄが形成され、さらに弾性伸縮部材２２Ａ，２２Ｂを内包させるために、第２折り返し部２１Ｄの終端の第３折り返し線Ｌ３において折り返され、重合部２１Ｅおよび重合部２１Ｆとして、第１折り返し部２１Ｃ及び第２折り返し部２１Ｄに対してホットメルト接着剤などにより重合状態で固定されている。
【００２３】
ギャザーカフス２０を構成するために、ギャザーカフスシート２１は、製品の長手方向両端部のみにおいて、第１折り返し部２１Ｃが、製品の使用面側に、実施の形態では基部２１Ａの表面に、ホットメルト接着剤などにより固定されている（この固定領域を図１の破線によるハッチングにより示した）。しかも、第２折り返し部２１Ｄが、重合部２１Ｅを介して、重合部２１Ｆ及び第１折り返し部２１Ｃにホットメルト接着剤などにより重ね合わせ状態で固定されている（この固定領域を図１の実線によるハッチングにより示した）。なお、各固定領域は全面でなく、間欠的に固定することもできる。
【００２４】
他方、図４に明示されているように、製品の長手方向両端部間においては、第１折り返し部２１Ｃが、製品の使用面側に非固定であり、かつ、第２折り返し部２１Ｄが第１折り返し部２１Ｃに非固定とされ、外方に向かう第１自由部Ｘとこれから折り返されて幅方向内方に向かう第２自由部Ｙとが構成されている。
【００２５】
前記第２折り返し線Ｌ２近傍（±１．５ｍｍ以内）には、起立用弾性伸縮部材２２Ａが固定され、この起立用弾性伸縮部材２２Ａより幅方向内方の第２自由部Ｙに当接用弾性伸縮部材２２Ｂ，２２Ｂが固定されている。
【００２６】
ギャザーカフス２０を平坦化したときのその平面視の幅（第１自由部Ｘ幅または第２自由部Ｙの幅でもある）としては、８〜１８ｍｍが望ましい。
【００２７】
ここで、各弾性伸縮部材としては、糸ゴムのほか、弾性伸縮性発泡体（たとえば発泡ウレタン）などの採用も可能である。糸ゴムを使用する場合、起立用弾性伸縮部材２２Ａとしては、第２折り返し線Ｌ２近傍に３本以内の数で設けることができる。当接用弾性伸縮部材２２Ｂとしては、第２折り返し部２１Ｄにおいて１本でもよいが、幅方向に複数、たとえば２本とするのが起立・持ち上げ性に優れる。最高で６本以内の配設が可能である。ただ、第２折り返し部２１Ｄの内方縁（第３折り返し線Ｌ３）の内方に当接用弾性伸縮部材２２Ｂを設けず、その内方縁から１〜３ｍｍ程度離間させることが、肌への接触性が優れる。
【００２８】
弾性伸縮部材の固定に際しては、当該弾性伸縮部材にホットメルト接着剤を塗布してギャザーカフスシート２１に固定するほか、ギャザーカフスシート２１にホットメルト接着剤を塗布して弾性伸縮部材を固定する形態によってもよい。起立用弾性伸縮部材２２Ａ及び当接用弾性伸縮部材２２Ｂ，２２Ｂの伸張率は１１０〜２００％、特に１３０〜１８０％が好ましい。
【００２９】
起立用弾性伸縮部材２２Ａの伸張応力が、当接用弾性伸縮部材２２Ｂの伸張応力より大きいことがギャザーカフス２０全体の起立性の点で望ましい。それらの伸張応力の差は１０〜４０％が好ましい。
【００３０】
さらに、前後の少なくとも一方の端部、好適には両端部において、製品の長手方向中央からの基準で、第１自由部Ｘの延長部分の固定開始位置が、第２自由部Ｙの前後方向延長部分の第１自由部Ｘへの重ね合わせ固定開始位置より、製品の長手方向端縁側に偏位していることが望ましい。すなわち、図１に図示するように、第１自由部Ｘの収縮有効長さＤ１が、第２自由部Ｙの収縮有効長さＤ２より長い方が望ましい。
【００３１】
さて、本発明においては、吸収要素１０には吸収体１２のよれ防止、体液の拡散防止、ならびにフィット性向上などのための周回エンボス５０、及び一対の円弧状のフィットエンボス５１が形成されている。
【００３２】
周回エンボス５０は、中高部１２Ａの両側に、本発明に係る側部エンボスとして、排血口部位Ｚを跨ぐ長さ範囲にわたって形成され、これらの側部エンボスは、排血口部位Ｚの前側部エンボス５０Ｂ及び後側部エンボス５０Ｃと、これらより幅方向外方に膨出する形状を有する膨出エンボス５０Ａとにより形成されている。
さらに、前端部において両側の前側部エンボス５０Ｂ，５０Ｂとを繋いでふくらみのある頭様の前部エンボス５０Ｄと、後端部において両側の後側部エンボス５０Ｃ，５０Ｃとを繋いで半円状の後部エンボス５０Ｅとを有し、全体として連続する曲線をなしている。
【００３３】
かかる構成の下で、本発明のナプキンを装着する場合には、漏れ防止シート３０の裏面（表面）に設けた粘着剤（図示せず）をショーツ内面に当てて仮止めするとともに、ウイング部４０Ｂをショーツの外面に巻き込み粘着剤（図示せず）により仮固定する。
【００３４】
装着状態を概念的に図５および図６に示した。ナプキンは前後方向に股間部に沿って湾曲する。このとき、弾性伸縮部材２２Ａ，２２Ｂの収縮力により、ギャザーカフス２０が起立する。したがって、ギャザーカフス２０が横漏れ防止用バリヤーカフスを構成する。
【００３５】
このとき、第１自由部Ｘと第２自由部Ｙとの折り返し部分（第２折り返し線Ｌ２）近傍に起立用弾性伸縮部材２２Ａが固定されているから、装着時において前後方向の湾曲に伴ってその起立用弾性伸縮部材２２Ａの収縮力により、ギャザーカフス２０が使用面側に起立する。この起立ライン（第２折り返し線Ｌ２）を起点として、第２自由部Ｙに当接用弾性伸縮部材２２Ｂ，２２Ｂが固定されていることもあって、当接用弾性伸縮部材２２Ｂ，２２Ｂの収縮力により、第２自由部Ｙの製品幅方向内側部分が前記起立ラインより使用面側により高く起立する。したがって、ギャザーカフス２０全体の起立高を大きくでき、装着者の動きが極端であっても、その動きに良好に追従して常に肌に接するから、横漏れ防止効果が高いものとなる。
【００３６】
ギャザーカフス２０を形成するに、第１自由部Ｘと第２自由部Ｙとの折り返し形態を採っている。しかるに、第１自由部Ｘと第２自由部Ｙとの折り返し形態を採ることにより、幅方向にある程度狭い幅内において、第１自由部Ｘ及び第２自由部Ｙを起立させることができるので、体液受け入れ性に優れ、及び体液の浸透開始有効面積を広く取ることができる。しかも、装着時において前後方向の湾曲に伴ってその起立用弾性伸縮部材２２Ａの収縮力により、比較的幅狭の第１自由部Ｘが平坦化することなく確実に起立し、当接用弾性伸縮部材２２Ｂの収縮力により、同様に比較的幅狭の第２自由部Ｙが平坦化することなく確実に起立するので、ギャザーカフス２０全体として幅狭でありながら、大きくかつ確実に起立するギャザーカフス２０が得られる。そして、第１自由部Ｘ自体として確実に起立し、第２自由部Ｙ自体も確実に起立することは、製品の面と直交する方向のギャザーカフス２０のクッション性を高め、肌へのフィット性を良好にし、横漏れ防止効果を高める。
【００３７】
他方、本発明に係る吸収要素１０は、排血口部位Ｚを跨いで長手方向に沿い、かつ幅方向中央部に使用面側に高い中高部１２Ａを有する。したがって、中高部１２Ａが股間部に対して良好にフィットかつ密着し、排血口からの体液はそのまま中高部１２Ａに吸収され吸収性が良好となる。
【００３８】
ギャザーカフス２０はその収縮力が排血口部位Ｚを跨ぐ範囲に相当する長さ範囲に作用するように構成され、吸収要素１０の中高部１２Ａの両側に、排血口部位Ｚを跨ぐ長さ範囲にわたってエンボスが形成され、これらのエンボスは、排血口部位Ｚにおいて前後より幅方向外方に膨出する形状をなす膨出エンボス５０Ａを有する。
【００３９】
しかるに、ギャザーカフス２０の収縮力により、その収縮力作用域に対応する吸収要素１０の長さ範囲全体が収縮しようとする。このとき、膨出エンボス５０Ａを有するので、排血口部位Ｚ近傍の膨出エンボス５０Ａが、図５に示す吸収体１２が変形したときの等高線Ｓによって判るように、ならびに図６に示すように、排血口側に膨らむ。
【００４０】
その結果、吸収要素１０の中高部１２Ａが股間にフィットするばかりでなく、その中高部１２Ａが排血口側に膨らんでフィットするため、排血口と吸収要素１０とが密着し、ポイント吸収を図ることができ、漏れ防止効果が高いものとなる。
【００４１】
中高部１２Ａの両側に形成するエンボス５０Ｂ及び５０Ｃは、中高部１２Ａの左右によれを防ぐ機能がある反面、吸収した体液を横方向外方に阻止する機能もある。しかるに、中高部１２Ａでの吸収性能を超える体液の排泄があったとしても、膨出エンボス５０Ａは排血口部位Ｚにおいて前後より幅方向外方に膨出する形状をなしているので、中高部１２Ａの外方においても体液の吸収が可能であり、漏れを防止できる。
【００４２】
ここで、前記吸収体１２は、長さ２７０〜３１０ｍｍ、幅７５〜９０ｍｍとすることができる。中高部１２Ａとしては、吸収体１２の全幅に対して２０〜４０％、その重量は両側部に対して１．５〜２倍、厚みは６〜８ｍｍとすることができる。排血口部位Ｚが製品の長手方向中央から±１０ｍｍ〜±３０ｍｍとなるように設計することができる。膨出エンボス５０Ａ，５０Ａの中心は、ウイング部４０Ｂ，４０Ｂの中心より後方側に５０〜７０ｍｍ位置する構成とすることができる。膨出エンボス５０Ａの前後エンボスからの膨出長は５ｍｍ〜３０ｍｍとすることができる。
【００４３】
前側部エンボス５０Ｂ，膨出エンボス５０Ａ及び後側部エンボス５０Ｃの終端は、吸収体１２の長手方向両端縁近傍まで延在する。この延在端は、吸収体１２の長手方向端縁から１０〜６０ｍｍ離間させるのが望ましい。前部横断エンボス５０Ｄの中高部側縁からの膨出長は５〜１５ｍｍが好適である。後部横断エンボス５０Ｅは必須とするが、前部横断エンボス５０Ｄは省略することもできる。前部横断エンボス５０Ｄの好適な形状は図示のように、外方に曲率中心を有する実質的に円弧状のものである。
【００４４】
フィットエンボス５１は、前部横断エンボス５０Ｄと外方に３〜８ｍｍ離間しているのが望ましい。フィットエンボス５１の長手方向長さは３５〜４５ｍｍが好ましい。
【００４５】
また、エンボスは、完全に連続のほか、間欠的に形成してもよい。エンボスの形成に際しては、特開平９−１０８２６２号に記載のように、長さ方向に高圧搾部と低圧搾部とが交互になる形態で形成できる。加圧ヒートシールなどによりエンボスを形成することもできる。
【００４６】
＜第２の実施の形態：図８〜図１１＞
本発明において、ギャザーカフス２０は、その収縮力により膨出エンボス５０Ａの形成領域を排血口側に膨出させる機能を有する。したがって、この機能を有する限り、たとえばここに示す第２の実施の形態などの形態を含むものである。
【００４７】
第２の実施の形態の生理用ナプキンは、使用面側から裏面側にかけて；使用面側から体液を受け入れて内部に保持する吸収要素１０と、長手方向中間において、前記吸収要素１０の裏面側にあって、前記吸収要素１０の両側縁より幅方向外方にそれぞれ延在し、その延在部分においてたとえば糸ゴムなどからなる弾性伸縮部材２２を有するギャザーカフス２０と、前記吸収要素１０から裏面側への体液漏れを防止し、前記吸収要素１０の両側縁位置より幅方向外方に延在している、たとえばポリエチレンシートなどからなる漏れ防止シート３０と、を順に備える。
【００４８】
吸収要素１０の形態は、第１の実施の形態と同様であるが、中高部１２Ａが吸収体１２の全長にわたっていない点において相違する。また、表面シート１１は、吸収体１２の使用面および両側面を包み、下面の自由起点４０より中央側に延在して巻き込まれている（いわゆる額巻きされている）。
【００４９】
ギャザーカフス２０を形成するギャザーカフスシート２１は、漏れ防止シート３０の両側部において、その上に重ね合わせ状態でたとえばホットメルト接着剤により固定され（その固定部分を＊印にて図示している）、製品の中央側において折り返され、折り目Ｌ１を境にして幅方向外方に向かい、その折り返し領域のうち吸収要素１０の側縁より内側の自由起点４０までの部分全体または自由起点４０近傍のみが吸収要素１０とホットメルト接着剤などにより固定してあり、この自由起点４０より幅方向外方部分は、吸収要素１０と非固定であり、かつ、ギャザーカフスシート２１の重ね合わせ領域においても非固定である。これにより、折り目Ｌ１がギャザーカフス２０の起立起線を構成する。
【００５０】
ここで、図１０に図示のように、ギャザーカフスシート２１相互の重ね合わせ領域が非固定であると、ギャザーカフス２０の折り返し領域全体が折り目Ｌ１を境にして自由に使用面側に起立することが可能である。３１はショーツに対して固定するためのウイング部である。
【００５１】
第２の実施の形態では、中高部１２Ａの両側に、排血口部位Ｚを跨ぐ長さ範囲にわたって側部エンボスが形成され、これらの側部エンボスは、排血口部位Ｚに対して前後の前側部エンボス５０Ｂ及び後側部エンボス５０Ｃと、これらより幅方向外方に膨出する形状を有する膨出エンボス５０Ａとにより形成されている。前部横断エンボス５０Ｄが、両前側部エンボス５０Ｂ，５０Ｂを繋ぎかつ中高部１２Ａを横断して形成されている。後部横断エンボスは形成されていない。
【００５２】
他方、本発明において、中高部１２Ａは、吸収体１２の長手方向両端もしくは一端に延在していてもよい。
【００５３】
【発明の効果】
以上のとおり、本発明によれば、特に夜用として適し、股間部に対するフィット性および吸収性を著しく改善した生理用ナプキンを提供することができる。
【図面の簡単な説明】
【図１】
本発明の生理用ナプキンの第１の実施の形態における使用面側からの平面図である。
【図２】
図１の２−２線矢視図である。
【図３】
図１の３−３線矢視図である。
【図４】
本発明の生理用ナプキンの使用状態におけるギャザーカフスの長手方向端部と中央部との関係を示す要部拡大断面図である。
【図５】
使用状態の斜視図である
【図６】
図１の６−６線に沿う使用状態における側面図である。
【図７】
エンボスを中心にした平面図である。
【図８】
第２の実施の形態における使用面側からの平面図である。
【図９】
その横断面図である。
【図１０】
使用状態における横断面図である。
【図１１】
使用状態の斜視図である
【符号の説明】
１０…吸収要素、１１…表面シート、１２…吸収体、１２Ａ…中高部、２０…ギャザーカフス、２１…ギャザーカフスシート、２２Ａ…起立用弾性伸縮部材、２２Ｂ…当接用弾性伸縮部材、３０…漏れ防止シート、３１，４０…フラップ、５０…周回エンボス、５０Ａ…膨出エンボス、５０Ｂ…前側部エンボス、５０Ｃ…後側部エンボス、５０Ｄ…前部横断エンボス、５０Ｅ…後部横断エンボス、５１…フィットエンボス、Ｚ…排血口部位。